(57)【要約】【課題】直射光の強さにかかわらず、見易い情報表示を継続できる表示装置の提供。【解決手段】表示装置１００は、車両の車室内に設けられている。表示装置１００は、光を透過可能な表示面７１に情報画像７２を表示する透明ディスプレイ７０と、光の透過率を調整可能な遮光画像８２を表示する遮光ディスプレイ８０とを備えている。遮光ディスプレイ８０は、透明ディスプレイ７０の背面７３に重ねて配置されている。表示装置１００は、遮光画像８２の表示変化を、情報画像７２の表示変化に同期させる。さらに表示装置１００は、透明ディスプレイ７０へ向かう直射光の強さを取得し、直射光が強くなるほど、遮光画像８２の透過率を低く調整する。【選択図】図２
2020079917.tif 000002
【特許請求の範囲】
【請求項１】
移動体（Ａ）の室内に設けられる表示装置であって、
光を透過可能な表示面（７１）に、情報画像（７２）を表示する透過表示器（７０）と、
前記透過表示器の前記表示面とは反対側の背面（７３）に重ねて配置され、光の透過率を調整可能な遮光画像（８２）を表示する遮光表示器（８０）と、
前記透過表示器へ向かう光の強さを取得する情報取得部（６２）と、
前記遮光画像の表示変化を前記情報画像の表示変化に同期させ、前記透過表示器へ向かう光が強くなるほど、前記遮光画像の透過率を低く調整する表示制御部（６３）と、
を備える表示装置。
【請求項２】
前記表示制御部は、
前記移動体が明るい環境下にあることを想定した明所モードと、前記移動体が前記明所モードよりも暗い環境下にあることを想定した暗所モードとを設定可能であり、
前記暗所モードにおける前記情報画像の表示輝度を、前記明所モードにおける表示輝度よりも低くする請求項１に記載の表示装置。
【請求項３】
前記表示制御部は、前記暗所モードにて、前記透過表示器へ向かう光が強くなると、前記情報画像の表示輝度を維持しつつ、前記遮光画像の透過率を低く調整する請求項２に記載の表示装置。
【請求項４】
前記情報取得部は、前記情報画像を視認する視認者の視点位置（ＥＰ）の情報をさらに取得し、
前記表示制御部は、前記視点位置に合わせて、前記情報画像に対する前記遮光画像の相対位置を調整する請求項１〜３のいずれか一項に記載の表示装置。
【請求項５】
前記遮光画像の輪郭は、前記情報画像の輪郭よりも外側に位置している請求項１〜４のいずれか一項に記載の表示装置。
【請求項６】
前記情報取得部は、前記移動体が自律走行状態にあることを示す情報をさらに取得し、
前記表示制御部は、前記移動体が自律走行状態にある場合、前記遮光表示器の全体を一様な遮光状態に制御する請求項１〜５のいずれか一項に記載の表示装置。
【発明の詳細な説明】
【技術分野】
【０００１】
この明細書による開示は、移動体の室内に設けられる表示装置に関する。
【背景技術】
【０００２】
従来、例えば特許文献１には、透明な材質の自体発光素子からなる第１パネルと、第１パネルの背面に配置されて背面から光を遮断可能な第２パネルとを備えるディスプレイ装置が開示されている。特許文献１のディスプレイ装置において、二つのパネルを制御する制御部は、第１パネルに映像フレームを表示させると共に、第２パネルを複数の領域別に透明な状態または不透明な状態に切り替える。
【先行技術文献】
【特許文献】
【０００３】
【特許文献１】特開２０１３−１５６６３５号公報
【発明の概要】
【発明が解決しようとする課題】
【０００４】
特許文献１のディスプレイ装置では、外部からくる光の強さに応じた制御が実施されない。そのため、特許文献１のディスプレイ装置を、外部光の影響を受け易い移動体にて用いる場合、見易い表示を継続させることが困難となる虞があった。
【０００５】
本開示は、第１パネルのような透過表示器を用いていても、当該透過表示器へ向かう光の強さにかかわらず、見易い情報表示を継続可能な表示装置の実現を目的とする。
【課題を解決するための手段】
【０００６】
上記目的を達成するため、開示された一つの態様は、移動体（Ａ）の室内に設けられる表示装置であって、光を透過可能な表示面（７１）に、情報画像（７２）を表示する透過表示器（７０）と、透過表示器の表示面とは反対側の背面（７３）に重ねて配置され、光の透過率を調整可能な遮光画像（８２）を表示する遮光表示器（８０）と、透過表示器へ向かう光の強さを取得する情報取得部（６２）と、遮光画像の表示変化を情報画像の表示変化に同期させ、透過表示器へ向かう光が強くなるほど、遮光画像の透過率を低く調整する表示制御部（６３）と、を備える表示装置とされる。
【０００７】
この態様では、遮光表示器によって表示される遮光画像の透過率は、透過表示器へ向かう光が強くなるほど、低く調整される。故に、光が弱い場合には、遮光画像の透過率が高く維持されるため、透過表示器に複雑な形状の情報画像が表示されていても、同期表示される背面側の遮光画像の影響により、情報画像が見難くなる事態は、回避され得る。
【０００８】
一方で、光が強い場合には、遮光画像の透過率が低く調整される。そのため、背面側からの光の大部分が遮光画像によって遮られるようになり、情報画像は、コントラストが確保された見易い表示状態となる。以上のことから、透過表示器へ向かう光の強さにかかわらず、表示装置は、見易い情報表示を継続可能となる。
【０００９】
尚、上記括弧内の参照番号は、後述する実施形態における具体的な構成との対応関係の一例を示すものにすぎず、技術的範囲を何ら制限するものではない。
【図面の簡単な説明】
【００１０】
【図１】本開示の一実施形態による表示装置を搭載した車両の運転席周辺のレイアウトを示す図である。
【図２】表示装置の電気的な構成を示すブロック図を、表示画像を拡大した例と共に示す図である。
【図３】ドライバ回路にて実施される表示モードの切り替え制御の詳細を示すフローチャートである。
【図４】ドライバ回路にて実施される遮光画像の位置制御の詳細を示すフローチャートである。
【図５】遮光画像の位置制御の内容を説明するための図である。
【図６】ドライバ回路にて実施される状態制御の詳細を示すフローチャートである。
【図７】明所モードにおける通常での表示輝度及び透過率の設定の一例を示す図である。
【図８】明所モードにおいて西日等の直射光が存在する場合の表示輝度及び透過率の設定の一例を示す図である。
【図９】暗所モードにおける通常での表示輝度及び透過率の設定の一例を示す図である。
【図１０】暗所モードにおいてヘッドライト等の直射光が存在する場合の表示輝度及び透過率の設定の一例を示す図である。
【発明を実施するための形態】
【００１１】
図１に示す本開示の一実施形態による表示装置１００は、車両Ａにおいて用いられ、車両Ａに関連する種々の情報を、表示面７１の表示を通じて乗員（運転者）に提示する。表示装置１００には、図２に示す映像生成装置２０、フロントカメラ３０、ドライバステータスモニタ（Driver Status Monitor，以下「ＤＳＭ」）４０、及び車載ネットワーク５０の通信バス等が直接的又は間接的に電気接続されている。
【００１２】
尚、以下の説明における前後、上下、左右等の方向に関する表現は、水平面に置かれた車両Ａを基準として定義される。そして、右及び左については、運転席に着座した運転者を基準に定義される。
【００１３】
映像生成装置２０は、車両Ａに搭載された複数の表示デバイスの表示を統合的に制御する制御装置である。映像生成装置２０は、各表示デバイスに表示される映像を生成する回路を主体に構成されている。映像生成装置２０は、車載ネットワーク５０等から取得する車両情報に基づき、各表示デバイスへ向けて出力される映像信号を生成する。映像生成装置２０は、例えばデジタルスピードメータＳｍ（図９及び図１０も参照）及びＡＤＡＳインジケータＩｎ（図７及び図８参照）等の表示画像ＤＰを含んだ映像信号を生成し、表示装置１００等へ向けて逐次出力する。
【００１４】
図１及び図２に示すフロントカメラ３０は、撮像素子及びレンズ部と、撮像素子を制御する制御ユニットとを有する構成である。フロントカメラ３０は、車両Ａの進行方向に撮像方向を向けた姿勢にて、車両Ａに固定されている。フロントカメラ３０は、ウィンドシールドＷＳを通して運転者に視認される前景範囲を撮影し、当該前景範囲を撮像した前方画像を生成する。前方画像は、車両Ａに搭載された自動運転機能（又はＡＤＡＳ機能）にて用いられる。具体的には、ＡＥＢ（Autonomous Emergency Braking）機能、ＡＣＣ（Adaptive Cruise Control）機能、ＬＴＣ（Lane Trace Control）機能等が、自動運転機能に含まれ得る。
【００１５】
フロントカメラ３０は、前方画像の情報から、車両Ａの外部からウィンドシールドＷＳを通して車室内に入射する光（以下、「直射光」）の強さを検出可能である。フロントカメラ３０は、例えば西日及び朝日、並びに対向車のヘッドライト及びストップランプ等、高強度であって、水平に近い角度で車室内に入射する直射光を、少なくとも検出する。フロントカメラ３０は、直射光の強さを示した光強度情報を、表示装置１００に逐次出力する。
【００１６】
ＤＳＭ４０は、近赤外光源及び近赤外カメラと、これらを制御する制御ユニットとを有している。ＤＳＭ４０は、近赤外カメラを運転席側となる後方に向けた姿勢にて、例えばステアリングコラムのカバー上面等に設置されている。ＤＳＭ４０は、ステアリングホイール５の開口部５ｂを通して、近赤外光源によって近赤外光を照射された運転者の顔周辺を、近赤外カメラによって撮影する。近赤外カメラによって撮像された顔画像は、制御ユニットによって解析される。制御ユニットは、例えば運転者の顔向き、目の開き具合、視点位置ＥＰ（図５参照）及び視線方向等を、顔画像から推定する。ＤＳＭ４０は、解析によって推定されたこれらの情報のうちで、少なくとも視点位置ＥＰを示す情報（以下、「アイポイント情報」）を、表示装置１００に逐次提供する。
【００１７】
図２に示す車載ネットワーク５０の通信バスには、多数の車載ＥＣＵ（Electronic Control Unit）及び車載センサ等が直接的又は間接的に電気接続されている。車載ネットワーク５０は、通信バスに出力された種々の車両情報を、映像生成装置２０及び表示装置１００に提供可能である。車載ネットワーク５０は、映像生成に用いられる車両情報として、例えば車両Ａの走行速度等を映像生成装置２０に逐次提供する。
【００１８】
加えて車載ネットワーク５０には、照度センサの検出結果に基づくヘッドライトの点灯制御情報が、例えばボディＥＣＵ等によって出力されている。さらに車載ネットワーク５０には、自動運転機能の作動状態を示すステータス情報が、自動運転ＥＣＵ等によって出力されている。車載ネットワーク５０は、点灯制御情報及び自動運転機能のステータス情報等を、表示装置１００に逐次提供する。尚、フロントカメラ３０による光強度情報及びＤＳＭ４０によるアイポイント情報は、車両情報と同様に、車載ネットワーク５０を経由して、表示装置１００に提供されてもよい。
【００１９】
図１及び図２に示す表示装置１００は、車両Ａの車室内に設けられている。表示装置１００は、運転席の前方に配置されており、車両用のコンビネーションメータを代替する表示デバイスとして機能する。表示装置１００は、表示面７１を運転席側へ向けた姿勢にて、インスツルメントパネル２の上面に取り付けられている。表示装置１００の表示面７１は、運転者から見てＤＳＭ４０よりも前方（奥側）に位置しており、且つ、ステアリングホイール５のリム部５ａの上方（アウトホイール側）に視認される。
【００２０】
表示装置１００は、全体として光を透過させることが可能な無色透明な板状を呈している。運転者は、表示装置１００に遮られることなく、車両Ａの前景を視認できる。運転者は、表示面７１を通して見える前景に、表示画像ＤＰが重畳された表示を視認する。即ち、表示装置１００は、ヘッドアップディスプレイとして用いられる。そのため、表示装置１００は、表示面７１の上縁がＡゾーン（０７年自事発第３０４号「ヘッドアップディスプレイの取り扱いについて（Version2.0）」参照）の下限よりも下方となるように、配置されている。
【００２１】
表示装置１００は、透明ディスプレイ７０、遮光ディスプレイ８０及びドライバ回路６０等によって構成されている。
【００２２】
透明ディスプレイ７０は、透過型の有機ＥＬ（Electro Luminescence）ディスプレイである。透明ディスプレイ７０は、ガラス、石英及び樹脂等の透明材料よりなる透明基板により、横長の板状に形成されている。透明ディスプレイ７０の両面のうちで、運転席側に向けられる一方が表示面７１となり、表示面７１の反対側に位置して車両Ａの前方を向く他方が背面７３となる。表示面７１及び背面７３に入射した光は、透明ディスプレイ７０を透過可能である。透明ディスプレイ７０は、表示面７１及び背面７３に沿って２次元配列された多数の発光素子により、種々の情報画像７２をフルカラー表示する。
【００２３】
透明ディスプレイ７０の透明基板上には、薄膜状のＩＴＯ（Indium Tin Oxide）よりなる透明電極が形成された透明電極層と、透明電極に電気接続された発光層とが設けられている。発光層には、有機ＥＬ材料よりなる赤、緑及び青の各発光体が、個々の発光画素を形成するように規則的に配列されている。透明ディスプレイ７０は、透明電極を通じた各発光体への電流の印加により、各発光画素を発光させることで、表示面７１に情報画像７２を発光表示する。尚、発光体よって放出される情報画像７２の光は、表示面７１及び背面７３の両面から射出される。
【００２４】
遮光ディスプレイ８０は、光の透過率を調整可能な液晶ディスプレイである。遮光ディスプレイ８０は、透明基板及び一対の偏光フィルタ等により、横長の板状に形成されている。遮光ディスプレイ８０の外縁形状は、透明ディスプレイ７０の外縁形状と実質同一である。遮光ディスプレイ８０には、光の透過率を変更可能な遮光画素が多数形成されている。遮光ディスプレイ８０は、各遮光画素の透過率を低く調整する制御により、遮光画像８２（図７等参照）を表示する。透明ディスプレイ７０の背面７３が向く側を背面側とすると、遮光画像８２は、情報画像７２の背面側に表示される。遮光画像８２は、車両前方からウィンドシールドＷＳを通して透明ディスプレイ７０へ向かう直射光を遮り、情報画像７２の輝度コントラストを向上させる。
【００２５】
遮光ディスプレイ８０の透明基板上には、薄膜状のＩＴＯよりなる透明電極が形成された透明電極層と、透明電極に電気接続された液晶層とが設けられている。透明電極を通じて個別に電圧を印加される液晶層の個々の区画が、一つの遮光画素となる。電圧を印加されない遮光画素では、液晶層に含まれる液晶分子の方向が不揃いな状態となる。そのため、液晶層を通過する光の偏光方向は、液晶分子による散乱によってねじ曲げられる。一方で、電圧を印加された遮光画素では、液晶分子が特定の方向を向くようになる。こうした液晶分子の配向により、液晶層を通過する光の偏光方向が一様になる。遮光ディスプレイ８０は、各遮光画素に印加する電圧の調整により、各遮光画素の光の透過率を、実質的に透明な状態から不透過（黒色）の状態まで、連続的に変化させる。
【００２６】
遮光ディスプレイ８０における遮光画素の解像度及び画素ピッチは、透明ディスプレイ７０における発光画素の解像度及び画素ピッチと実質同一とされている。透明ディスプレイ７０の両面のうちで、透明ディスプレイ７０側に向けられる一方が接合面８１となり、車両Ａの前方を向く他方が背面８３となる。遮光ディスプレイ８０の接合面８１は、例えば無色透明のエポキシ樹脂系の接着材等により、透明ディスプレイ７０の背面７３に貼り合わされている。板厚方向にて各遮光画素の位置が各発光画素の位置に揃うように、遮光ディスプレイ８０は、透明ディスプレイ７０に重ね合わされている。
【００２７】
尚、遮光ディスプレイ８０は、遮光画素への電圧の印加が無い状態で実質透明な状態となる構成（ノーマリーホワイト）であってもよく、又は遮光画素への電圧の印加が無い状態で黒色の遮光状態となる構成（ノーマリーフラック）であってもよい。
【００２８】
ドライバ回路６０は、透明ディスプレイ７０及び遮光ディスプレイ８０の作動を制御する電気回路である。ドライバ回路６０は、筐体に収容された状態で、各ディスプレイ７０，８０と電気接続されていてもよく、又は各ディスプレイ７０，８０のいずれかと一体的に設けられていてもよい。ドライバ回路６０は、少なくとも一つのプロセッサ、プロセッサに結合されたＲＡＭ、記憶媒体を含むメモリ装置、及び入出力インターフェース等を有するマイクロコントローラを備えている。ドライバ回路６０のメモリ装置には、映像生成装置２０から取得する映像信号に従い、各ディスプレイ７０，８０の作動を制御する表示制御プログラムが格納されている。ドライバ回路６０は、メモリ装置に記憶された表示制御プログラムをプロセッサによって実行し、映像取得部６１、情報取得部６２、及び表示制御部６３等の機能ブロックを構築する。
【００２９】
映像取得部６１は、映像生成装置２０から映像信号を取得する。情報取得部６２は、透明ディスプレイ７０へ向かう直射光の強さを示した光強度情報を、フロントカメラ３０から逐次取得する（図６  Ｓ１２１参照）。また情報取得部６２は、運転者のアイポイント情報を、ＤＳＭ４０から逐次取得する（図４  Ｓ１１１参照）。継続的に取得されるアイポイント情報は、表示装置１００の視認者となる運転者の視点位置ＥＰ（図５参照）を追跡する追跡情報となる。さらに情報取得部６２は、車載ネットワーク５０から、点灯制御情報及び自動運転機能のステータス情報等を取得する（図３  Ｓ１０１参照）。点灯制御情報は、車両Ａが明るい外光環境下にあるのか、又は暗い外光環境下にあるのかを示す昼夜情報として使用される。
【００３０】
表示制御部６３は、映像取得部６１により取得された映像信号に基づき、透明ディスプレイ７０の表示面７１に情報画像７２を表示させる。加えて表示制御部６３は、情報画像７２の表示変化に、遮光画像８２の表示変化を同期させる制御を実施する。具体的に、表示制御部６３は、発光状態にある発光画素と重なる遮光画素を遮光状態に制御する。こうした制御により、表示制御部６３は、情報画像７２と実質同一の形状とされた遮光画像８２を、遮光ディスプレイ８０に表示させる。こうした情報画像７２及び遮光画像８２の重ね合わせにより、表示画像ＤＰが表示される。
【００３１】
表示制御部６３は、透明ディスプレイ７０及び遮光ディスプレイ８０の同期制御に加えて、車両情報に基づく表示モードの切り替え制御（図３参照）、運転者姿勢に応じた遮光画像８２の位置制御（図４及び図５参照）を実施する。さらに表示制御部６３は、直射光の強度に応じた各画素の状態制御（図６〜図９参照）を実施する。尚、ドライバ回路６０では、車両電源のオン状態への切り替えに基づき、これらの制御が開始される。そして、車両電源のオフ状態への切り替えまで、これらの制御は継続実施される。
【００３２】
表示制御部６３は、情報取得部６２にて取得される車両情報に基づき、表示装置１００の表示モードを複数のうちで切り替える。複数の表示モードには、明所モード及び暗所モードに加えて、エンターテイメントモード等が含まれる。表示制御部６３は、それぞれ昼夜に対応する明所モード及び暗所モードを設定可能であり、情報取得部６２にて取得される点灯制御情報に基づき、明所モードと暗所モードとを切り替える。さらに表示制御部６３は、自動運転機能のステータス情報に基づき、エンターテイメントモードへの切り替えを許容する。
【００３３】
明所モードは、車両Ａが暗所モードよりも明るい環境下にあることを想定した表示モードである。表示制御部６３は、ヘッドライトのオフ状態を示す点灯制御情報に基づき、表示モードを明所モードに設定する（図３  Ｓ１０４［ＮＯ］，Ｓ１０５参照）。一方、暗所モードは、車両Ａが明所モードよりも暗い環境下にあることを想定した表示モードである。表示制御部６３は、ヘッドライトのオン状態を示す点灯制御情報に基づき、表示モードを暗所モードに設定する（Ｓ１０４［ＹＥＳ］，Ｓ１０６参照）。明所モードでは、発光画素の状態制御において、許容される発光画素の最大輝度が、暗所モードよりも高く設定される（図６参照）。換言すれば、暗所モードでは、運転者に表示画像ＤＰが眩しく感じられ難いように、発光画素の表示輝度が抑制される（図８参照）。
【００３４】
エンターテイメントモードは、自動運転機能によって運転者が運転操作から解放された期間において、表示装置１００に動画等のコンテンツを表示させる表示モードである。表示制御部６３は、車両Ａの自律走行状態を示すステータス情報が取得されている場合に、エンターテイメントモードへの切り替えを許可する（Ｓ１０２［ＮＯ］，Ｓ１０３参照）。こうした状態下、運転者が動画の再生操作又は所定のスイッチ操作等を行うことにより、表示制御部６３は、表示モードをエンターテイメントに切り替える。エンターテイメントモードにおいて、遮光画素における光の透過率は、最も低い状態に制御される。その結果、遮光ディスプレイ８０の全体が一様な遮光状態に制御され、表示装置１００は、通常の不透過型の表示器として使用可能となる。尚、動画等の再生を行わない場合には、自律走行中であっても、表示装置１００の全体が透明な状態とされてよい。こうした設定は、運転者の開放感に寄与し得る。
【００３５】
表示制御部６３は、情報取得部６２にて取得されるアイポイント情報に基づき、運転者の視点位置ＥＰに合わせて、情報画像７２に対する遮光画像８２の相対位置を調整する。情報画像７２及び遮光画像８２の間には、各ディスプレイ７０，８０の透明基板の板厚に起因する間隙が、不可避的に生じる。そのため、運転者の視点位置ＥＰが表示面７１の真正面から上下左右にずれた場合、情報画像７２及び遮光画像８２と、アイポイントとの相対的な位置関係が変化する（図５参照）。こうした遮光画像８２の位置ずれを補正するため、表示制御部６３は、取得されたアイポイント情報に基づき、遮光画像８２のシフト方向及びシフト量を設定し、視点位置ＥＰの変化方向とは逆側に遮光画像８２を移動させる（図４  Ｓ１１２参照）。こうした遮光画像８２の位置制御により、視点位置ＥＰ、情報画像７２及び遮光画像８２について、実質一直線上に並ぶ状態が維持される。
【００３６】
表示制御部６３は、情報取得部６２にて取得される光強度情報に基づき、発光画素の輝度制御及び遮光画素の透過率制御を実施する。表示制御部６３は、現在の光強度情報に加えて、現在の表示モードを参照し（図６  Ｓ１２２参照）、これらに対応する表示輝度及び透過率を設定する（Ｓ１２３参照）。外光量が多く、車両Ａが明るい環境下にある場合、表示制御部６３は、情報画像７２の表示輝度を高く設定する（図７，図８参照）。対して、外光量が少なく、車両Ａが暗い環境下にある場合、表示制御部６３は、情報画像７２の表示輝度を低く設定する（図９，図１０参照）。さらに、車両前方から表示装置１００へ向かう直射光が強くなるほど、表示制御部６３は、遮光画像８２の透過率を低く調整する（図８，図１０参照）。
【００３７】
以上の制御によれば、例えば西日が室内に差し込むシーンでは、図８に示すように、明所モードに設定され、高輝度の情報画像７２が表示される。さらに、直射光となる西日の強さに応じて、遮光画像８２の透過率が低く調整される。こうした遮光画像８２の同期制御により、自発光表示される表示画像ＤＰであっても、西日に対する表示画像ＤＰのコントラストが確保される。
【００３８】
一方、夜間やトンネル内等においては、暗所モードの設定により、表示輝度を抑制された低輝度の情報画像７２が表示される。そして、対向車のヘッドライトが車室内に差し込むシーンでは、図１０に示すように、情報画像７２の表示輝度が維持されつつ、直射光となるヘッドライトの光の強さに応じて、遮光画像８２の透過率が低く調整される。その結果、表示画像ＤＰの眩しさを助長させてしまうことなく、ヘッドライトに対する表示画像ＤＰのコントラストが確保される。
【００３９】
ここまで説明したように、遮光ディスプレイ８０によって表示される遮光画像８２の透過率は、透明ディスプレイ７０へ向かう直射光が強くなるほど、低く調整される。故に、直射光が弱い場合には、遮光画像８２の透過率も高く維持される。その結果、透明ディスプレイ７０に複雑な形状の情報画像７２（例えばＡＤＡＳインジケータＩｎ等）が表示されていても、同期表示される背面側の遮光画像８２の影響により、情報画像７２が見難くなる事態は、回避され得る。
【００４０】
一方で、直射光が強い場合には、遮光画像８２の透過率は、低く調整される。そのため、背面側から入射する直射光の大部分が遮光画像８２によって遮られるようになる。その結果、情報画像７２は、コントラストが確保された見易い表示状態となる。以上によれば、表示装置１００は、透明ディスプレイ７０へ向かう直射光の強さにかかわらず、見易い表示画像ＤＰの表示を継続できる。
【００４１】
加えて本実施形態では、明所モード及び暗所モードの切り替えが実施され、暗所モードにおける情報画像７２の表示輝度は、明所モードにおける表示輝度よりも低く抑制される。故に、夜間やトンネル等の暗所においては、情報画像７２を運転者が眩しく感じてしまう事態は、回避され得る。
【００４２】
また本実施形態の暗所モードでは、直射光が強くなると、情報画像７２の表示輝度を維持しつつ、遮光画像８２の透過率を低くする調整が実施される。こうした制御によれば、眩しく感じられ難い情報画像７２の表示状態が維持され得る。加えて、遮光画像８２の透過率を低くする調整によれば、表示画像ＤＰは、コントラストを確保された状態で表示され得る。したがって、夜間に直射光が強く照射されるシーンにおいても、表示装置１００は、表示画像ＤＰを見易く表示できる。
【００４３】
さらに本実施形態では、情報画像７２に対する遮光画像８２の相対位置が、運転者の視点位置ＥＰに合わせて調整される。故に、運転者の体格差や姿勢崩れ等に起因し、異なる視点位置ＥＰから視認される表示画像ＤＰであっても、情報画像７２に対する遮光画像８２のずれは、運転者に知覚され難い。さらに、運転者が頭を左右に振った場合等でも、情報画像７２及び遮光画像８２のずれが見えないようにされる。以上によれば、遮光画像８２に起因する表示の違和感は、軽減される。
【００４４】
加えて本実施形態では、車両Ａが自律走行状態にある場合に、エンターテイメントモードへの切り替えにより、遮光ディスプレイ８０の全体を一様な遮光状態に設定することが可能になる。上述したように、車両Ａが自律走行するシーンでは、運転者は、運転のタスクから解放される。故に、運転に関連しない動画等を楽しみたいというニーズが生じ得る。こうした用途においては、外光を実質遮断する状態で遮光ディスプレイ８０を用いた方が、動画の表示品質は、確保され易くなる。したがって、遮光ディスプレイ８０を一様に遮光状態にする制御は、自動運転機能を搭載した車両Ａにおいて、表示装置１００の付加価値向上に寄与できる。
【００４５】
また本実施形態では、情報画像７２に重ねられた遮光画像８２が、透明ディスプレイ７０の背面７３から射出される情報画像７２の光を遮る機能を発揮する。故に、透明ディスプレイ７０の採用に伴う情報画像７２の窓映りの発生により、運転者の運転が妨げられるような事態は、生じ難くなる。
【００４６】
尚、上記実施形態では、車両Ａが「移動体」に相当し、透明ディスプレイ７０が「透過表示器」に相当し、遮光ディスプレイ８０が「遮光表示器」に相当する。
【００４７】
（他の実施形態）
以上、本開示の一実施形態について説明したが、本開示は、上記実施形態に限定して解釈されるものではなく、本開示の要旨を逸脱しない範囲内において種々の実施形態及び組み合わせに適用することができる。
【００４８】
上記実施形態の変形例１では、互いに同一形状の情報画像及び遮光画像が、表示面に沿って僅かに斜め方向にずらされた位置関係で表示される。その結果、遮光画像の輪郭の一部は、情報画像からはみ出すようにして、情報画像の輪郭よりも外側に位置する。こうした表示では、遮光画像が情報画像の影のようになるため、表示画像に立体感が付与される。
【００４９】
上記実施形態の変形例２では、遮光画像は、情報画像よりも僅かに大きな相似形状とされている。表示面を真正面から見たとき、遮光画像の全ての輪郭は、情報画像の輪郭よりも１〜数画素程度、外側に位置している。このような変形例２では、遮光ディスプレイに直射光が斜め方向に入射しても、遮光画像は、情報画像全体について、直射光の到達を低減し得る。以上によれば、直射光が車室内に入射する多くのシーンにおいて、表示画像全体のコントラストがさらに確保され易くなる。尚、正面から見て情報画像からはみ出す遮光画像の外縁の透過率は、情報画像に隠れる中間部分の透過率よりも高く設定されてよい。
【００５０】
上記実施形態の変形例３では、明所モード及び暗所モードの切り替えが実施されない。変形例３の表示装置は、例えば照度センサの検出結果を取得し、この検出結果に基づき、情報画像の表示輝度及び遮光画像の透過率の両方を制御する。その結果、上記実施形態と同様の効果を奏し、背面側の遮光ディスプレイに直射光が入射したとしても、情報画像の輝度が周囲の明るさに負けて、表示画像が見難くなる状態にはならない。
【００５１】
以上のように、光強度情報及び昼夜情報を取得する構成は、適宜変更されてよい。例えば、時間情報、地図情報、方位情報及び天気情報等により、光強度及び昼夜の推定が実施されてもよい。
【００５２】
上記実施形態の変形例４では、表示装置は、自動運転機能を非搭載の車両に設置されている。変形例４では、イグニッションがオフ状態とさ、車両が走行できない状態に限り、エンターテイメントモードへの切り替えが許可される。尚、エンターテイメントモードにおいて、一様な遮光状態とされる遮光ディスプレイの「全体」は、動画等の表示に使用される表示領域を示している。即ち、動画等の表示に用いられない表示領域の遮光画素は、透明なまま維持されてよい。
【００５３】
上記実施形態の変形例５では、表示モードの一つとして、エンターテイメントモードが用意されていない。また変形例６では、視点位置に応じて遮光画像の位置を補正する制御は、実施されない。さらに、変形例７では、透明ディスプレイの解像度が、遮光ディスプレイの解像度よりも高い。一方、変形例８では、遮光ディスプレイの解像度が、透明ディスプレイの解像度よりも高い。以上の変形例７，８のように、二つのディスプレイの各画素は、大きさ及び位置を完全に一致させていなくてもよい。
【００５４】
上記実施形態の変形例９では、表示装置は、運転席の前方ではなく、インスツルメントパネルの中央上面に配置され、センターメータ及びセンターディスプレイを兼ねた表示デバイスとして機能する。また変形例１０では、表示装置は、電子ミラーシステムを構成する表示デイバスとして、左右のピラーの根本に配置される。以上のように、車室内における表示装置の設置位置、さらに設置数、サイズ、アスペクト比等は、適宜変更されてよい。
【００５５】
表示制御プログラム等を記憶するメモリ装置には、フラッシュメモリ及びハードディスク等の種々の非遷移的実体的記憶媒体（non-transitory tangible storage medium）が採用可能である。こうした記憶媒体の形態も、適宜変更されてよい。例えば記憶媒体は、メモリカード等の形態であり、ドライバ回路を格納する筐体に設けられたスロット部に挿入されて、ドライバ回路に電気接続される構成であってよい。さらに記憶媒体は、上述のようなドライバ回路に内蔵される構成に限定されず、プログラムのコピー基となる光学ディスク及び汎用コンピュータのハードディスクドライブ等であってもよい。
【００５６】
表示制御プログラムを実行するドライバ回路は、映像生成装置等の他の車載ＥＣＵと一体的な構成であってよい。また上記実施形態にて、ドライバ回路により提供された各機能は、ソフトウェア及びそれを実行するハードウェア、ソフトウェアのみ、ハードウェアのみ、あるいはそれらの複合的な組合せによっても提供可能である。こうした機能がハードウェアである電子回路によって提供される場合、各機能は、多数の論理回路を含むデジタル回路、又はアナログ回路によっても提供可能である。
【００５７】
上記実施形態の透明ディスプレイ及び遮光ディスプレイに相当する具体的な各構成は、適宜変更されてよい。さらに、表示装置を搭載する移動体は、車両以外の船舶、航空機、及び輸送機器等であってもよい。加えて、移動体の乗員は、移動体を操縦する運転者でなくてもよい。
【符号の説明】
【００５８】
Ａ  車両（移動体）、ＥＰ  視点位置、６２  情報取得部、６３  表示制御部、７０  透明ディスプレイ（透過表示器）、７１  表示面、７２  情報画像、７３  背面、８０  遮光ディスプレイ（遮光表示器）、８２  遮光画像、１００  表示装置
【図１】
2020079917.tif 000003
【図２】
2020079917.tif 000004
【図３】
2020079917.tif 000005
【図４】
2020079917.tif 000006
【図５】
2020079917.tif 000007
【図６】
2020079917.tif 000008
【図７】
2020079917.tif 000009
【図８】
2020079917.tif 000010
【図９】
2020079917.tif 000011
【図１０】
2020079917.tif 000012